(57)【要約】【課題】変化に富んだ形態変化玩具を提供すること。【解決手段】作動装置と、前記作動装置によって所定の動作を行う動作部品とを備えた形態変化玩具において、手動によって第１位置と第２位置との間で可逆的に移動して第１位置と第２位置とで前記形態変化玩具の外観を変化させる可動部品と、前記可動部品を前記第２位置に移動させたときに前記可動部品と前記作動装置又は前記動作部品と連結して前記可動部品を動作させるとともに、前記可動部品を前記第１位置に移動させたときに前記可動部品と前記作動装置又は前記動作部品との連結を解除する連結作動機構とを備えている。【選択図】図５
2019146682.tif 000002
【特許請求の範囲】
【請求項１】
作動装置と、前記作動装置によって所定の動作を行う動作部品とを備えた形態変化玩具において、
手動によって第１位置と第２位置との間で可逆的に移動して第１位置と第２位置とで前記形態変化玩具の外観を変化させる可動部品と、
前記可動部品を前記第２位置に移動させたときに前記可動部品と前記作動装置又は前記動作部品と連結して前記可動部品を動作させるとともに、前記可動部品を前記第１位置に移動させたときに前記可動部品と前記作動装置又は前記動作部品との連結を解除する連結作動機構とを備えたことを特徴とする形態変化玩具。
【請求項２】
前記連結作動機構は、前記作動装置に予め連結されて配置されたカムと、前記可動部品に連結され、前記第２位置で前記カムに係合し前記第１位置で前記カムとの係合を解除するカムフォロアとを備えることを特徴とする請求項１に記載の形態変化玩具。
【請求項３】
前記連結作動機構は、前記作動装置に予め連結されて配置されたスライド体と、前記可動部品に連結され、前記第２位置で前記カムに係合し前記第１位置で前記カムとの係合を解除する係合部とを備えることを特徴とする請求項１に記載の形態変化玩具。
【請求項４】
前記動作部品の所定の動作は歩行であることを特徴とする請求項１〜請求項３のいずれか一項に記載の形態変化玩具。 
【発明の詳細な説明】
【技術分野】
【０００１】
本発明は形態変化玩具に関するものである。
【背景技術】
【０００２】
形態変化玩具として、人形の形態である第１の形態及び第１の形態とは異なる形態である第２の形態に、自動で又は遠隔操作により相互に変形可能なロボット玩具であって、第１の形態から第２の形態へ変形する変形手段と、第２の形態から第１の形態へ変形する変形手段と、第１の形態及び第２の形態のいずれの形態においても移動可能な移動手段と、を備えたものが知られている。
【先行技術文献】
【特許文献】
【０００３】
【特許文献１】特開２０１４−１４４２１１号公報
【発明の概要】
【発明が解決しようとする課題】
【０００４】
しかしながら、上記形態変化玩具においては、動作の観点から見ると、形態の変化の前後において走行をするだけなので、面白みに欠けるという問題がった。
【０００５】
本発明は、形態変化後に他の動作が付加され面白みのある形態変化玩具を提供することを目的としている。
【課題を解決するための手段】
【０００６】
第１の手段は、
作動装置と、前記作動装置によって所定の動作を行う動作部品とを備えた形態変化玩具において、
手動によって第１位置と第２位置との間で可逆的に移動して第１位置と第２位置とで前記形態変化玩具の外観を変化させる可動部品と、
前記可動部品を前記第２位置に移動させたときに前記可動部品と前記作動装置又は前記動作部品と連結して前記可動部品を動作させるとともに、前記可動部品を前記第１位置に移動させたときに前記可動部品と前記作動装置又は前記動作部品との連結を解除する連結作動機構とを備えたことを特徴とする。
【０００７】
第２の手段は、第１の手段において、前記連結作動機構は、前記作動装置に予め連結されて配置されたカムと、前記可動部品に連結され、前記第２位置で前記カムに係合し前記第１位置で前記カムとの係合を解除するカムフォロアとを備えることを特徴とする。
【０００８】
第３の手段は、第１の手段において、前記連結作動機構は、前記作動装置に予め連結されて配置された前スライド体と、前記可動部品に連結され、前記第２位置で前記スライド体に係合し前記第１位置で前記スライド体との係合を解除する係合部とを備えることを特徴とする。
【０００９】
第４の手段は、第１の手段〜第３の手段のいずれか一の手段において、前記動作部品の所定の動作は歩行であることを特徴とする。
【発明の効果】
【００１０】
本発明の形態変化玩具によれば、可動部品を手動で操作することによって、その可動部品も動作させることができるので、変化に富んだ走行玩具が得られる。
【図面の簡単な説明】
【００１１】
【図１】第１実施形態の形態変化玩具の形態変化前を示した斜視図である。
【図２】第１実施形態の形態変化玩具の形態変化後を示した斜視図である。
【図３】第１実施形態の形態変化玩具の脚部作動機構を示した平面図である。
【図４】第１実施形態の形態変化玩具の上角の作動機構を示したもので、上角の収納状態を示した模式図である。
【図５】第１実施形態の形態変化玩具の上角の作動機構を示したもので、上角の突出状態を示した模式図である。
【図６】第２実施形態の形態変化玩具の形態変化前を示した斜視図である。
【図７】第２実施形態の形態変化玩具の形態変化後を示した斜視図である。
【図８】第２実施形態の形態変化玩具の大砲作動機構を示したもので、大砲の収納状態を示した断面図である。
【図９】第２実施形態の形態変化玩具の大砲作動機構を示したもので、大砲の突出状態を示した断面図である。
【図１０】第２実施形態の形態変化玩具の脚作動機構を示した側面図である。
【図１１】第２実施形態の形態変化玩具のスライド体を作動させるための機構を示した平面図である。
【図１２】第３実施形態の形態変化玩具の形態変化前を示した斜視図である。
【図１３】第３実施形態の形態変化玩具の形態変化後を示した斜視図である
【図１４】第３実施形態の形態変化玩具の脚部作動機構を示した一部切欠き斜視図である。
【図１５】第３実施形態の形態変化玩具の刃状羽の作動機構を示した斜視図である。
【図１６】第３実施形態の形態変化玩具の顎とスライド体との係合構造を示した斜視図である。
【図１７】第４実施形態の形態変化玩具の形態変化前を示した斜視図である。
【図１８】第４実施形態の形態変化玩具の形態変化後を示した側面図である
【図１９】第４実施形態の形態変化玩具の上顎作動機構を示した側面図である。
【発明を実施するための形態】
【００１２】
以下、本発明に係る形態変化玩具の実施形態を図面に示した実施の形態に基づいて説明する。なお、本明細書及び特許請求の範囲において、「作動装置」と言うときは、動力源と、所定の動作部品を作動させる個別の作動機構と、動力源から個別の作動機構に動力を伝達する動力伝達機構とを含む。また、「可動部品」とは動作部品のうち形態変化に寄与する部品を言うものとする。
【００１３】
(第１実施形態)
図１及び図２に示した形態変化玩具１は、カブトムシを模したもので、胴部２、頭部３、脚部４及び角部５等の各構成部分を有し、胴部２に動力源としてのゼンマイを備えている。
この形態変化玩具１は、図１に示した状態で、動力源によって頭部３の下角(動作部品)５ａが上下に振られ、脚部(動作部品)４が作動して前進する。
また、図２に示すように、手動によって頭部３及び胴部２の上側部分から上角(可動部品)５ｂを前方に露出させて形態を変化させると、動力源によって脚部４が作動して前進するとともに、上角５ｂが上下動する。
【００１４】
図３は脚部４の作動機構６を示している。脚部４は、左右前脚４ａ、左右中脚４ｂ及び左右後脚４ｃによって構成され、このうち左右中脚４ｂは胴部２に固定されている。また、左右前脚４ａは連結棒６ａによって互いに連結され、左右後脚４ｃも連結棒６ｂによって互いに連結されている。そして、それぞれの連結棒６ａ，６ｂの中間部は、軸６ｃ，６ｄによって回転自在に胴部２に支持されている。
【００１５】
また、前側連結棒６ａにおいて軸６ｃに対して外れた位置（例えば左側位置）と、後側連結棒６ｂにおいて軸６ｄに対して外れた位置（例えば右側位置）には、連結棒６ｅが回転自在に連結されている。この連結棒６ｅの中間には、孔（図示せず）が形成されている。一方、胴部２には、歯車６ｆが回転自在に支持されており、この歯車６ｆの下面の偏心位置に偏心軸（図示せず）が突設されている。そして、この偏心軸は連結棒６ｅの孔に係合している。
【００１６】
また、胴部２の中央には、動力源としてのゼンマイ(図示せず）が設置されている。このゼンマイの出力軸７は、上下方向に延設されており、その出力軸７には、歯車７ａが固定して設けられている。そして、この歯車７ａは上記歯車６ｆに噛合している。
【００１７】
この脚部４では、ゼンマイ動力によって歯車７ａが回転すると、それと噛合する歯車６ｆが回転し、それに伴って、偏心軸に係合している連結棒６ｅが揺動する。これによって、前後連結棒６ａ，６ｂが軸６ｃ，６ｄに対して互いに反対方向へ揺動し、前脚４ａの左右一方の脚が前方へ移動し、前脚４ａの左右他方の脚が後方へ移動し、また、後脚４ｃの左右他方の脚が前方へ移動し、前脚の左右一方の脚が後方へ移動する。このようにして、この形態変化玩具１は前進する。
【００１８】
図４は下角５ａの作動機構８を示している。下角５ａは基端の軸８ａによって支持されている。軸８ａは頭部３のフレームに回転自在に支持されており、下角５ａが自重によって常時下方に付勢されている。軸８ａにはブラケット８ｂが固着されている。一方、出力軸７の上端部には円板カム８ｃが固着されている。この円板カム８ｃの周面と上記ブラケット８ｂとの間には作動片８ｄが前後動可能にフレームに配置されている。そして、作動片８ｄはブラケット８ｂによって常時円板カム８ｃの周面に当接されている。
【００１９】
この下角５ａの作動機構８によれば、出力軸７の回転によって、円板カム８ｃが回転し、円板カム８ｃの周面の山が作動片８ｄに向かうときには、作動片８ｄが円板カム８ｃに押されて前方に移動する。すると、作動片８ｄの先端がブラケット８ｂを押圧し、ブラケット８ｂが図4において時計方向に回転し、それによって下角５ａが上方に回転する。また、円板カム８ｃの周面の谷が作動片８ｂに向かうときには、ブラケット８ｂへの押圧力が解放されるため、下角５ａが自重によって図４において反時計方向へ回転し、作動片８ｂが円板カム８ｃの周面に当接しながら後方に移動する。
【００２０】
図４及び図５は、上角５ｂの作動機構９を示しており、図４は上角５ｂが胴部２及び頭部３の上部を構成する上部カバー２ａ内に収納されている状態を示し、図５は、その上角５ｂが前方に突出された状態を示している。
【００２１】
上部カバー２ａは回動体２ｃを介して胴部２に取り付けられている。回動体２ｃは軸２ｂによって胴部２に回転自在に取り付けられている。上部カバー２ａと一体のスライド体９ａは前後方向に移動可能に回動体２ｃに支持されている。このスライド体９ａは横断面（スライド方向に対して水垂直な断面）が下方に解放されたコ字形に形成されている。このスライド体９ａの後端には、下方に延びるカムフォロア９ｂが形成されている。
【００２２】
上角５ｂは、その基端が軸９ｃによってスライド体９ａに回転自在に支持されている。そして、この上角５ｂは、図4に示すように、スライド体９ａ内に折り畳まれて収納されている。一方、出力軸７の上端面には端面カム９ｄが形成されている。この端面カム９ｄは、後述するように、スライド体９ａのカムフォロア９ｂに当接可能に形成されている。
【００２３】
図４に示すように、形態変化前は、上角５ｂがスライド体９ａに収容され、スライド体９ａが後方へ押し込まれた状態にあり、カムフォロア９ｂは端面カム９ｄから離反している。
【００２４】
上部カバー２ａを上方に開き、上角５ｂを軸９ｃを中心に時計方向に回転して、その上角５ｂを引き出すと、それに伴ってスライド体９ａが上部カバー２ａに対して前方に移動する。すると、図５に示すように、カムフォロア９ｂが端面カム９ｄに当接する。この状態では、一体である上部カバー２ａ、上角５ｂ及びスライド体９ａ（これらを上角アッセンブリという）は、カムフォロア９ｂによって開いた状態に維持される。
【００２５】
上角アッセンブリは、端面カム９ｄの回転に伴って上下動する。即ち、カムフォロア９ｂが端面カム９ｄの山に当接している場合には、図５に示したように、上角アッセンブリは最上位置にあり、端面カム９ｄの谷に達すると自重で軸２ｂを中心として反時計方向に回転して降下する。
【００２６】
(第２実施形態)
図６及び図７に示した形態変化玩具１０は、カメを模したもので、胴部１１、頭部１２及び脚部１３等の各構成部分を有し、胴部１１内に大砲１４を収容している。また、形態変化玩具１０は、胴部１１に動力源としてのモータを備えている。
この形態変化玩具１０は、図６に示した状態で、動力源によって脚部(動作部品)１３が作動され前進するとともに、頭部(動作部品)１２が上下に振られる。
また、この形態変化玩具１０は、図７に示すように、胴部１１の上側部分を形成する上カバー１１ａを上方に開き、大砲(可動部品)１４の先端を露出させ、その大砲１４を前方斜め上方に引き出して形態変化をさせると、動力源によって脚部１３が作動して前進するとともに、その大砲１４を動力源に接続させ、それによって大砲１４を前後方向に出没させる。
【００２７】
図８は脚部１３の作動機構１５を示している。脚部１３は、左右前脚１３ａ及び左右後脚１３ｂによって構成されている。
左右前脚１３ａの中間部１５ａの裏側には軸孔１５０ａが形成され、この軸孔には、胴部１３に設置された回転体(図示せず)の偏心軸１５１ａが嵌合されている。また、左右前脚１３ａの上端部１５ｂの裏面には長孔１５０ｂが形成され、この長孔１５０ａには胴部１１に固設した軸１５１ｂが挿入されている。さらに、左右前脚１３ａの下端部の軸１５ｃには、接地部材１３ｃが回転自在に支持されている(図１０参照)。
一方、左右後脚１３ｂの中間部１５ｄの裏側には軸孔１５０ｄが形成され、この軸孔には胴部１１に固設した軸１５１ｄが嵌合されている(図１０参照)。また、左右後脚１３ｂの下端部の軸１５ｄには、接地部材１３ｄが回転自在に支持されている。
また、左右前脚１３ａの下部と左右後脚１３ｂの上部は、連結棒１５ｆによって互いに連結されている。
【００２８】
この脚部１３の作動機構１５によれば、左右前脚１３ａは中間部１５ａの裏側の回転体が回転することによって、偏心軸１５ａを介して、前脚１３ａが揺動する。このような前脚１３ａの動作は、連結棒１５ｆを介して後脚１３ｂの上部に伝達され、後脚１３ｂが軸１５ｄを中心に揺動する。したがって、前脚１３ａが前方方向に揺動されたときには、後脚１３ｂは後方に揺動する。
【００２９】
ところで、この脚部の作動機構１５では、左右の前脚１３ａの上記偏心軸は、互いに１８０度の位相差をもって位置している。即ち、左前脚１３ａが前方に揺動されるときには、右前脚１３ａが後方に揺動する。これを繰り返すことによってカメは前進する。
【００３０】
また、このカメ１０は、図８に示すように、頭部の作動機構１６を備えている。この作動機構１６では、前脚１３ａの前部に突出片１６ａを備えている。一方、頭部１２は軸１６ｂによって胴部１１に揺動自在に支持されており、頭部１２の後部に舌片１６ｃを備えている。この頭部１２の舌片１６ｃは前脚１３ａの突出片１６ａに対向するように位置されている。そして、前脚１３ａが前方へ揺動されると突出片１６ａも前方へ移動し、その突出片１６ａで舌片１６ｃを押圧する。したがって、頭部１２は軸１６ｂを中心にして上方（時計方向）に回転する。上動された頭部１２は、前脚１３ａの後退とともに、自重によって下方（反時計方向）に回転する。
【００３１】
また、カメ１０は、大砲の作動機構１７を備えている。大砲１４は胴部１１の上部に位置しており、前後方向に長尺な枠体１７ａ内に収容されている。枠体１７ａは、その基端が軸１７ｂによって回転自在に胴部１１に支持されており、大砲１４はこの枠体１７ａに摺動自在に保持されている。枠体１７ａの底部にはレバー１７ｃが回転自在に支持されている。このレバー１７ｃの上端にはカムフォロア１７ｄが配設され、下端には係合ローラ１７ｅが配設されている。そして、カムフォロア１７ｄは大砲１４の後端に縦方向に形成した溝１４ａに係合されている。
一方、枠体１７ａの底壁に対向する胴部１１には、前後方向へ摺動するスライド体１７ｆが配設されている。このスライド体１７ｆは、上方に開口する溝１７ｇを備えている。この溝１７ｇは後述の突起１７ｅに嵌合可能に構成されている。
また、スライド体１７ｆには、図１１に示すように、開口１７０ｅが形成され、この開口１７０ｅには、作動装置に連係された軸１０ｂに固設された回転ローラ１０ｃの偏心軸１０ｄが挿入されている。
【００３２】
そして、この大砲の作動機構１７によれば、図８において枠体（上カバー）１７ａを上方（時計方向）に開き、手で大砲１４を引き出す。すると、図９に示すように、レバー１７ｃの係合ローラ１７ｅがスライド体１７ｆの溝１７ｇに嵌合する。したがって、その後は、レバー１７ｃがスライド体１７ｆの移動に伴って揺動し、カムフォロア１７ｄを介して大砲１４が出没する。この動作は、カメ１０が前進している間中継続される。
【００３３】
(第３実施形態)
図１２及び第１３図に示した形態変化玩具２０は、恐竜を模したもので、胴部２１、頭部２２、脚部２３及び刃状羽２４等の各構成部分を有している。この形態変化玩具２０では、胴部２１に動力源であるモータを備えている。
この形態変化玩具２０は、図１３に示した状態で、動力源によって脚部(動作部品)２３が作動され、さらに上顎及び顎２２ａ(動作部品)が連動して上下に振られ、目２２ｂが前後に揺動する。
また、図１１に示すように、胴部２１に上部に配設した刃状羽２４を前方に張出すように回転させることによって形態変化をさせると、その刃状羽(可動部品)２４を動力源に連係させて揺動させる動作が加わる。
【００３４】
脚部２３の作動機構２５は、図１４に示すように、歯車列２６を介してモータ等の動力源に連係された回転板２６ａを受容するとともに、回転板２６ａの偏心軸２６ｂに長孔を介して嵌合し、それらによって略上下方向に揺動される連結板２７と、その連結板２７に突設させた軸２７ａ，２７ｂに長孔２８ａ，２８ｂを介して連係されるとともに、偏心軸２６ｂに回転自在に嵌合する連結体２８とによって構成されている。そして、連結体２８の下部には足２８ｃが配設されている。
【００３５】
この脚部の作動機構２５によれば、回転板２６a及び偏心軸２６ｂによって作動される連結板２７と偏心軸２６ｂの回転運動によって作動される連結体２８によって、足２８ｃが地面から離れ、次いで前方に移動して再び接地する運動を行い、この運動を左右脚で交互に行うことによって前進する。
【００３６】
この実施形態の恐竜２０は、目の作動機構２９を備えている。図１５に示すように、目２２ｂは、胴部の上部へ延び、前後方向に往復動されるスライド体２９ａの先端に配置されている。スライド体２９ａには中間部に溝カム２９ｂが形成されている。その溝カム２９ｂに歯車列２６の最終歯車２６ｃの偏心位置に立設されたピン２６ｄが挿入されている。そして、作動装置に連係され偏心回転するピン２６ｄによってカム溝２９ｂを介してスライド体２９ａが前後に往復動し、目２２ｂが往復動する。
【００３７】
また、この恐竜２０では、顎の作動機構３０を備えている。顎の作動機構３０では、顎２２ａが軸２２ｃによって頭部２２に回転自在に支持されている。そして、この顎２２ａの端部２２ｄは、図１６に示すように、スライド体２９ａに係合されている。
【００３８】
また、この恐竜２０では、図１５に示すように、スライド体２９ａの移動域両側に刃状羽２４の基端が回転自在に支持されており、基端には突起２４ａが形成されている。
【００３９】
この突起２４ａは刃状羽２４が後方に収容されているときは、図１４に示すように、スライド体２９ａから離反した状態にあり、前方に向けて回転すると、図１５に示したようにスライド体２９ａに係合する。したがって、刃状羽２４は、スライド体２９ａの運動に伴って進行方向に向かって前後に揺動する。
【００４０】
(第４実施形態)
本発明に係る他の形態変化玩具５０は、図１７に示すように、ワニを模したもので、胴部５１，頭部５２，脚部５３等の各構成部分を有している。この形態変化玩具５０では、胴部５１に動力源であるモータを備えている。
この形態変化玩具５０は、図１７に示した状態で、動力源によって脚部(動作部品)５３が作動する。
また、このワニ５０は、図１９に示すように、頭部５２の上顎５２ａ及び胴部５１の上部（背部）５１ａが一体化されており、それらのアッセンブリ５４は、後端部が軸５５によって胴部５１に回転自在に支持されている。そして、頭部５２を前方へ引き出すことによって、脚部５３の作動機構に連動して上顎(可動部品)５２ａを大きく開いたり閉じたりする。
【００４１】
脚部の作動機構５５は、図７に示した脚部作動機構１５とほぼ同様な構造を備えており、したがって、同じ部品には、同符号を付して説明を省略する。
【００４２】
この脚部の作動機構５５では、図１８に示すように、左右前脚１３ａの下部と左右後脚１３ｂの上部は、連結板５６によって互いに連結されている。
【００４３】
この脚部の作動機構５５によれば、動力によって回転される偏心軸１５ａによって前脚１３ａが揺動する。このような前脚１３ａの動作は、連結板５６を介して後脚
１３ｂの上部に伝達され、後脚１３ｂが軸１５ｄを中心に揺動される。したがって、前脚１３ａが前方方向に揺動されたときには、後脚１３ｂは後方に揺動し、この動作を繰り返すことによってワニ５０が前進する。
【００４４】
また、このワニ５０は、上顎の作動機構５７を備えている。この作動機構５７では、図１９に示すように、前後方向に摺動するスライド体５８を備えている。軸５５はこのスライド体５８に配設されている。そして、図１９に示すように、頭部５２の上顎５２ａと胴部５１の背部５１ａとからなる上部アッセンブリ５４の基端が軸５５に回転自在に保持されている。
【００４５】
上部アッセンブリ５４は、図１７の通常状態でスライド体５８(図１９)が胴部後方に位置し、胴部５１上に載置されている。
頭部５２を前方へ引き出すことによってスライド体５８を前方に移動させる。すると、上部アッセンブリ５４の基端が連結板５６に係合する。
【００４６】
このように上部アッセンブリ５４の基端が連結板５６に係合されると、その後は、連結板５６の動作によって作動され、上部アッセンブリ５４が軸５５を中心にして上方に（時計方向に）回転する。
なお、連結板５６の押圧量によって上部アッセンブリ５４の上方への回転量が決定される。したがって、上部アッセンブリ５４と連結板５６との係合位置は、それらを考慮して適宜箇所に設定される。
【００４７】
以上、本発明の実施形態について説明したが、本発明は、かかる実施形態に限定されるものではなく、その要旨を逸脱しない範囲で種々変形が可能である。
例えば、上記本実施形態の形態変化玩具では、形象物として、カブトムシ，カメ，恐竜，クワガタ，ワニを示したが、他の生物または架空の生物等であってもよい。
また、手動で作動させる構成部品として角，大砲，羽，上顎を示したが、その他の構成部品であってもよい。
【符号の説明】
【００４８】
１    形態変化玩具（カブトムシ）
４    脚部(動作部品)
５ａ    下角(動作部品)
５ｂ    上角(可動部品)
６    脚部の作動機構
８    下角の作動機構
９    上角の作動機構
１０    形態変化玩具（カメ）
１２    頭部(動作部品)
１３    脚部(動作部品)
１４    大砲(可動部品)
１５    脚部の作動機構
１６    頭部の作動機構
１７    大砲の作動機構
２０    形態変化玩具（恐竜）
２３    脚部(動作部品)
２４    刃状羽(可動部品)
２５    脚部の作動機構
２９    目の作動機構
３０    下顎の作動機構
５０    形態変化玩具（ワニ）
５３    脚部(動作部品)
５４    上部アッセンブリ(可動部品)
５７    上顎の作動機構
【図１】
2019146682.tif 000003
【図２】
2019146682.tif 000004
【図３】
2019146682.tif 000005
【図４】
2019146682.tif 000006
【図５】
2019146682.tif 000007
【図６】
2019146682.tif 000008
【図７】
2019146682.tif 000009
【図８】
2019146682.tif 000010
【図９】
2019146682.tif 000011
【図１０】
2019146682.tif 000012
【図１１】
2019146682.tif 000013
【図１２】
2019146682.tif 000014
【図１３】
2019146682.tif 000015
【図１４】
2019146682.tif 000016
【図１５】
2019146682.tif 000017
【図１６】
2019146682.tif 000018
【図１７】
2019146682.tif 000019
【図１８】
2019146682.tif 000020
【図１９】
2019146682.tif 000021
【手続補正書】
【提出日】平成31年4月15日(2019.4.15)
【手続補正１】
【補正対象書類名】明細書
【補正対象項目名】０００６
【補正方法】変更
【補正の内容】
【０００６】
第１の手段は、
作動装置と、前記作動装置によって所定の動作を行う動作部品とを備えた形態変化玩具において、
手動によって第１位置と第２位置との間で可逆的に移動して第１位置と第２位置とで前記形態変化玩具の外観を変化させる可動部品と、
前記可動部品を前記第２位置に移動させたときに前記可動部品と前記作動装置又は前記動作部品とを連結して前記可動部品を動作させるとともに、前記可動部品を前記第１位置に移動させるときに前記可動部品と前記作動装置又は前記動作部品との連結を解除する連結作動機構と、前記動作部品の１つとして脚部と、を備え、
前記可動部品は、前記脚部を接地させたままで前記第１位置から前記第２位置まで他の部分に対して引き出し可能に構成され、
前記脚部を接地させたままで、前記可動部品の前記第１位置で前記作動装置によって前記脚部が歩行動作をするとともに、前記第２位置で前記作動装置によって前記脚部が歩行動作をするとともに前記可動部品が動作することを特徴とする。
【手続補正２】
【補正対象書類名】明細書
【補正対象項目名】０００８
【補正方法】変更
【補正の内容】
【０００８】
第３の手段は、第１の手段において、前記連結作動機構は、前記作動装置に予め連結されて配置されたスライド体と、前記可動部品を摺動自在に保持する枠体に回転自在に支持され、一端が前記可動部品の溝に予め係合し、他端が前記第２位置で前記スライド体の溝に係合し前記第１位置で前記スライド体の溝との係合を解除するレバーとを備えることを特徴とする。
【手続補正３】
【補正対象書類名】明細書
【補正対象項目名】０００９
【補正方法】変更
【補正の内容】
【０００９】
第４の手段は、第１の手段において、前記可動部品は上下方向に延在する軸を中心に回動する刃状羽であり、前記刃状羽は前記第１位置での外縁が前記第２位置で内縁となるように回動し、前記連結作動機構は、前記作動装置に予め連結されて配置されたスライド体と、前記刃状羽の前記内縁に設けられ前記第２位置で前記スライド体に係合し前記第１位置で前記スライド体との係合を解除する突起とを備えることを特徴とする。
【手続補正４】
【補正対象書類名】特許請求の範囲
【補正対象項目名】全文
【補正方法】変更
【補正の内容】
【特許請求の範囲】
【請求項１】
作動装置と、前記作動装置によって所定の動作を行う動作部品とを備えた形態変化玩具において、
手動によって第１位置と第２位置との間で可逆的に移動して第１位置と第２位置とで前記形態変化玩具の外観を変化させる可動部品と、
前記可動部品を前記第２位置に移動させたときに前記可動部品と前記作動装置又は前記動作部品とを連結して前記可動部品を動作させるとともに、前記可動部品を前記第１位置に移動させるときに前記可動部品と前記作動装置又は前記動作部品との連結を解除する連結作動機構と、前記動作部品の１つとして脚部と、を備え、
前記可動部品は、前記脚部を接地させたままで前記第１位置から前記第２位置まで他の部分に対して引き出し可能に構成され、
前記脚部を接地させたままで、前記可動部品の前記第１位置で前記作動装置によって前記脚部が歩行動作をするとともに、前記第２位置で前記作動装置によって前記脚部が歩行動作をするとともに前記可動部品が動作することを特徴とする形態変化玩具。
【請求項２】
前記連結作動機構は、前記作動装置に予め連結されて配置されたカムと、前記可動部品に設けられ前記第２位置で前記カムに係合し前記第１位置で前記カムとの係合を解除するカムフォロアとを備えることを特徴とする請求項１に記載の形態変化玩具。
【請求項３】
前記連結作動機構は、前記作動装置に予め連結されて配置されたスライド体と、前記可動部品を摺動自在に保持する枠体に回転自在に支持され、一端が前記可動部品の溝に予め係合し、他端が前記第２位置で前記スライド体の溝に係合し前記第１位置で前記スライド体の溝との係合を解除するレバーとを備えることを特徴とする請求項１に記載の形態変化玩具。
【請求項４】
前記可動部品は上下方向に延在する軸を中心に回動する刃状羽であり、前記刃状羽は前記第１位置での外縁が前記第２位置で内縁となるように回動し、
前記連結作動機構は、前記作動装置に予め連結されて配置されたスライド体と、前記刃状羽の前記内縁に設けられ前記第２位置で前記スライド体に係合し前記第１位置で前記スライド体との係合を解除する突起とを備えることを特徴とする請求項１に記載の形態変化玩具。